(57)【要約】      （修正有）【課題】部品点数を増やすことなく、すれ違いビーム用配光パターンを形成するうえで大光量の配光を得ることができるとともに、光源としてメタルハライドバルブを使用した際の配光パターンの黄色発生を抑えることができる車両用前照灯ユニットを提供する。【解決手段】メタルハライドバルブ１６、第一反射面１８、遮光板１４、及び投影レンズ１２を有する車両用前照灯において、メタルハライドバルブ１６を投影レンズ１２のユニット光軸Ａｘに対して下方に配置するとともに、メタルハライドバルブ１６の下方に第二反射面２０を備え、メタルハライドバルブ１６から下方に発した直射光を、第二反射面２０によって投影レンズ１２を介さずに投影レンズ１２の前方に反射することで大光量の配光を得る。また、第二反射面２０を備えたことに起因する配光パターンの黄色発生を抑制するために、第三反射面３０と第四反射面３２とを付加する。【選択図】図２
2010232143.tif 000002
【特許請求の範囲】
【請求項１】
メタルハライドバルブと、第一焦点を前記メタルハライドバルブ付近に有するとともに第二焦点を有する第一反射面と、該第一反射面の前記第二焦点の近傍に設けられた遮光板と、該遮光板の近傍に焦点を有する投影レンズを有する車両用前照灯ユニットであって、
前記メタルハライドバルブは前記投影レンズの光軸に対して下方に配置され、
前記メタルハライドバルブの下方に設けられるとともに、メタルハライドバルブから下方に出射した直射光を、前記投影レンズを介さずに投影レンズの前方に反射する第二反射面と、
前記メタルハライドバルブから上方に出射された白色光を下方に反射する第三反射面と、
前記メタルハライドバルブの下方に配置されるとともに、前記第三反射面で反射された白色光を反して、該白色光を、前記第二反射面で反射されて形成される配光パターンの黄色領域の光に重畳して白色とする第四反射面と、
を備えたことを特徴とする車両用前照灯ユニット。
【発明の詳細な説明】
【技術分野】
【０００１】
本発明は車両用前照灯ユニットに係り、特に光源としてメタルハライドバルブを使用した車両用前照灯ユニットに関する。
【背景技術】
【０００２】
特許文献１には、光源と、この光源を第一焦点とする主楕円反射面と、主楕円反射面の第二焦点の近傍に設けられた遮光板と、遮光板の近傍に焦点を有する投影レンズとからなる通常構成の車両用前照灯ユニットに、副楕円反射面と放物面系反射面とを備えた車両用前照灯ユニットが開示されている。
【０００３】
前記副楕円反射面は、光源と遮光板との間に配置されるとともに、遮光板に遮られてそれ程有効に反射光が配光の形成に使用されることのない部分である遮光板よりも後方に配置されている。また、副楕円反射面は、光源を第一焦点としており、光源からの光を後方で且つ下方に反射させるように構成されている。
【０００４】
前記放物面系反射面は、主楕円反射面の下方に配置されるとともに、副楕円反射面の第二焦点に焦点を有し、副楕円反射面によって反射された光、すなわち、光源からの光のうち遮光板によって遮られる光を、投影レンズを介さずに投影レンズの前方に反射させるように構成されている。
【０００５】
したがって、特許文献１の車両用前照灯ユニットは、遮光板によるすれ違いビーム用配光パターンを形成するための光の他に、通常では遮光板によって遮られる光を配光用に有効利用したので、大光量の配光を得ることができる。
【０００６】
一方、特許文献２には、光源としてメタルハライドバルブを使用した車両用前照灯ユニットが開示されている。この車両用前照灯ユニットは、メタルハライドバルブの下方に反射面を備え、メタルハライドバルブから下方に照射された光を、前記反射面によって反射させ、投影レンズを介さずに前方に照射するものである。特許文献２の車両用前照灯ユニットも特許文献１の車両用前照灯ユニットと同様に、通常では遮光板によって遮られる光を配光用に有効利用したので、大光量の配光を得ることができる。
【先行技術文献】
【特許文献】
【０００７】
【特許文献１】特開２００６−１４７４６２号公報
【特許文献２】特開２００５−１９０９８８号公報
【発明の概要】
【発明が解決しようとする課題】
【０００８】
しかしながら、特許文献１に開示された車両用前照灯ユニットは、通常のすれ違いビーム用配光パターンを形成するうえで利用されない光を有効利用するために、部材として楕円反射面と放物面系反射面とを付加しなければならず、部品点数が多くなり、コストアップ及び重量アップにつながるという問題があった。
【０００９】
また、大光量の配光を得るために、メタルハライドバルブを用いて、特許文献１及び特許文献２のように通常のプロジェクタ型前照灯ユニットでは有効に活用されていない光を配光用に有効利用するようにした場合において、配光パターンに黄色味を帯びる領域が現れることがあった。この現象について検討したところ、メタルハライドバルブの管球の下部に溜まった黄色いメタルハライド成分の色がスクリーン上に投影されていることが原因であることが判明した。
【００１０】
これは、特に、投影レンズを介さずにメタルハライドバルブ真下領域の光を特定の狭い領域に向って照射したことで顕在化する。具体的には、水平方向で鉛直軸から約２５°〜４５°の領域（道路左側通行の場合において、車線左側の歩行者用道路）に向って投影レンズを介さずに照射し、この部分（４０Ｌ−３０Ｌ）を明るくして歩行者等の視認性を向上させようとしたため、顕著に現れたものである。
【００１１】
本発明は、このような事情に鑑みてなされたものであり、部品点数を増やすことなく、すれ違いビーム用配光パターンを形成するうえで利用されない光を有効利用して大光量の配光を得ることができるとともに、光源としてメタルハライドバルブを使用した際の配光パターンの黄色発生を抑えることができる車両用前照灯ユニットを提供することを目的とする。
【課題を解決するための手段】
【００１２】
本発明は、前記目的を達成するために、メタルハライドバルブと、第一焦点を前記メタルハライドバルブ付近に有するとともに第二焦点を有する第一反射面と、該第一反射面の前記第二焦点の近傍に設けられた遮光板と、該遮光板の近傍に焦点を有する投影レンズを有する車両用前照灯ユニットであって、前記メタルハライドバルブは前記投影レンズの光軸に対して下方に配置され、前記メタルハライドバルブの下方に設けられるとともに、メタルハライドバルブから下方に出射した直射光を、前記投影レンズを介さずに投影レンズの前方に反射する第二反射面と、前記メタルハライドバルブから上方に出射された白色光を下方に反射する第三反射面と、前記メタルハライドバルブの下方に配置されるとともに、前記第三反射面で反射された白色光を反して、該白色光を、前記第二反射面で反射されて形成される配光パターンの黄色領域の光に重畳して白色とする第四反射面と、を備えたことを特徴とする車両用前照灯ユニットを提供する。
【００１３】
本発明によれば、光源、第一反射面、遮光板、及び投影レンズを有する車両用前照灯ユニットにおいて、光源を投影レンズの光軸に対して下方に配置するとともに、その光源の下方に第二反射面を備え、光源から下方に発した直射光を、すなわち、すれ違いビーム用配光パターンを形成するうえで利用されない光を、第二反射面によって投影レンズを介さずに投影レンズの前方に反射することで大光量の配光を得るようにしている。
【００１４】
したがって、本発明によれば、光源を投影レンズの光軸に対して下方に配置するものの、構成的には第二反射面を付加しただけの構成となるので、部品点数を増やすことなく、すれ違いビーム用配光パターンを形成するうえで利用されない光を有効利用して大光量の配光を得ることができる。
【００１５】
ところで、光源を投影レンズの光軸上に配置すると、光源と第二反射面との距離が長くなることから、第二反射面を大型にせざるを得ない。つまり、第二反射面は、光源から下方に照射された拡散光を、投影レンズを介さずに投影レンズの前方に反射させる機能を有することから、投影レンズの光軸に対する第二反射面の位置は設計的に決定されるものである。これを踏まえて、本発明の如く光源を投影レンズの光軸に対して下方に配置すれば、その位置が決定されている第二反射面と光源との距離が短くなるので、第二反射面を小型化できる。第二反射面が小型になれば、車両用前照灯ユニット全体が小型になり軽量化にもつながる。
【００１６】
また、本発明によれば、第三反射面と第四反射面とを備え、第二反射面を備えたことに起因する配光パターンの黄色発生を抑制している。すなわち、メタルハライドバルブから上方に出射された白色光を、第三反射面によって下方に反射し、第三反射面で反射された白色光を第四反射面によって反射し、第二反射面で反射された光のうち黄色となる領域の光に重畳している。これにより、配光パターンの黄色が白色となる。したがって、本発明によれば、光源としてメタルハライドバルブを使用した際の配光パターンの黄色発生を抑えることができる。
【発明の効果】
【００１７】
本発明に係る車両用前照灯ユニットによれば、部品点数を増やすことなく、通常のすれ違いビーム用配光パターンを形成するうえで利用されない光を有効利用して大光量の配光を得ることができるとともに、光源としてメタルハライドバルブを使用した際の配光パターンの黄色発生を抑えることができる。
【図面の簡単な説明】
【００１８】
【図１】実施の形態の車両用前照灯ユニットを示した斜視図
【図２】図１に示した車両用前照灯ユニットの縦断面図
【図３】図１に示した車両用前照灯ユニットの正面図
【図４】図１に示した車両用前照灯ユニットの右側面図
【図５】図１に示した車両用前照灯ユニットの配光パターンの形状を示した説明図
【図６】第二反射面の位置関係を示した概略横断面図
【図７】図３のＡ−Ａ線に沿う車両用前照灯ユニットの縦断面図
【図８】図３のＢ−Ｂ線に沿う車両用前照灯ユニットの縦断面図
【発明を実施するための最良の形態】
【００１９】
以下、添付図面に従って本発明に係る車両用前照灯ユニットの好ましい実施の形態について詳説する。
【００２０】
図１は、実施の形態の車両用前照灯ユニット１０の全体斜視図、図２は車両用前照灯ユニット１０の縦断面図、図３は車両用前照灯ユニット１０の正面図、図４は車両用前照灯ユニット１０の右側面図である。これらの図に示す車両用前照灯ユニット１０は、車両の左側に配置される車両用前照灯具に設けられるものである。
【００２１】
車両用前照灯ユニット１０は、図２の如くユニット光軸（投影レンズ１２の光軸）Ａｘの前方側から後方に向けて投影レンズ１２、遮光板１４、メタルハライドバルブ（例えば、Ｄ２Ｓバーナ）１６、及び第一反射面１８が配置されて構成される。また、メタルハライドバルブ１６は、ユニット光軸Ａｘの所定量下方位置に配置され、このメタルハライドバルブ１６の下方に第二反射面２０が配置されている。
【００２２】
図２の如く投影レンズ１２は、光出射面１２Ａが凸面で光入射面１２Ｂが平面の平凸レンズで構成されている。また、投影レンズ１２は、メタルハライドバルブ１６側であって、遮光板１４の上縁部１４Ａの近傍に焦点Ｆを備え、その焦点Ｆを含む焦点面上の像を反転像として前方に投影する。なお、図２の符号２２は、投影レンズ１２を保持するレンズホルダであり、このレンズホルダ２２は、筒状に形成されてその基端部が第一反射面１８に遮光板１４を介して連結されている。
【００２３】
第一反射面１８は、メタルハライドバルブ１６の近傍に第一焦点Ｆ１を有するとともに、遮光板１４の上縁部１４Ａの近傍に第二焦点Ｆ２を有する楕円系反射面である。
【００２４】
遮光板１４は、すれ違いビーム用配光パターンを形成するために、メタルハライドバルブ１６から投影レンズ１２に向う上向きの光を遮光するとともに、その上縁部１４Ａが第一反射面１８の長軸Ｚに略接する高さに設定されている。
【００２５】
第二反射面２０は、水平方向において投影レンズ１２の下方に配置されるとともに、メタルハライドバルブ１６の近傍に焦点Ｆ３を有する反射面である。この第二反射面２０については後述する。
【００２６】
メタルハライドバルブ１６は、第一反射面１８の後部に形成されたバルブ挿入孔１８Ａから挿入配置される縦型フィラメントのものが採用されているが、バルブ挿入孔１８Ａから挿入されるものに限定されず、第一反射面１８と一体に組み付けられたものであってもよい。また、第一反射面１８に遮光板１４、レンズホルダ２２、プレート２４（図１参照）及びメタルハライドバルブ１６が取り付けられて車両用前照灯ユニット１０が構成されているため、投影レンズ１２、遮光板１４、メタルハライドバルブ１６、及び第一反射面１８の位置精度が高められている。
【００２７】
このように構成された車両用前照灯ユニット１０によれば、メタルハライドバルブ１６を点灯すると、メタルハライドバルブ１６から上方に照射された輝度の高い光束は、第一反射面１８で反射されて第二焦点Ｆ２で焦点を結び、投影レンズ１２の光入射面１２Ｂに入射する。そして、光出射面１２Ａから出射することで図５に示す、周知のすれ違いビーム用配光パターンＡを形成する。
【００２８】
一方、図２のメタルハライドバルブ１６から下方に照射された輝度の高い光束は、遮光板１４で遮られることなく、メタルハライドバルブ１６の下方位置に配置された第二反射面２０で前方に反射される。そして、この反射光は、投影レンズ１２を介することなく、投影レンズ１２の前方に照射され、図５に示す、すれ違いビーム用配光パターンＡと一部が重なる配光パターンＢを形成する。また、配光パターンＢを形成するために、図１の第二反射面２０で上向きに反射された余分な光を、第一反射面１８の外側で第二反射面２０の上方に配置されたプレート２４によって遮光している。
【００２９】
図５に示す配光パターンＡ、Ｂは、車両の左側前照灯の配光パターンを示している。配光パターンＡは、主として路面の左車線を照射し、配光パターンＢは、主として左車線の路側帯を照射している。
【００３０】
このように実施の形態の車両用前照灯ユニット１０によれば、図２の如く投影レンズ１２、遮光板１４、メタルハライドバルブ１６、及び第一反射面１８を有する車両用前照灯ユニットにおいて、メタルハライドバルブ１６をユニット光軸Ａｘに対して下方に配置するとともに、そのメタルハライドバルブ１６の下方に第二反射面２０を備え、メタルハライドバルブ１６から下方に出射した直射光を、すなわち、すれ違いビーム用配光パターンＡ（図５参照）を形成するうえで利用されない光を、第二反射面２０によって投影レンズ１２を介さずに投影レンズ１２の前方に反射することで大光量の配光を得るようにしている。詳述すれば、投影レンズ１２の取り込み角α内の光を第一反射面１８にて捕捉して第一反射面１８にて反射し投影レンズ１２を介して照射する光にてすれ違いビーム用配光パターンＡを形成し、メタルハライドバルブ１６より下方で取り込み角αより下側における取り込み角βの光を第二反射面２０にて捕捉して投影レンズ１２を介さず照射する光にて投影レンズ１２の前方に反射することで大光量の配光を得るようにしている。
【００３１】
したがって、本実施の形態の車両用前照灯ユニット１０によれば、メタルハライドバルブ１６を投影レンズ１２のユニット光軸Ａｘに対して下方に配置するものの、構成的には第二反射面２０を付加しただけの構成となる。よって、従来の車両用前照灯ユニットと比較して、部品点数を増やすことなく、すれ違いビーム用配光パターンＡを形成するうえで利用されない光を有効利用して大光量の配光を得ることができる。
【００３２】
ところで、メタルハライドバルブ１６をユニット光軸Ａｘ上に配置すると、メタルハライドバルブ１６と第二反射面２０との距離が長くなることから、第二反射面２０を大型にせざるを得ない。何故ならば、図２と同一の下側取り込み角βを保持したままメタルハライドバルブ１６をユニット光軸Ａｘの位置に配置した場合には、メタルハライドバルブ１６と第二反射面２０との距離が長くなるので、それに従って第二反射面２０を大型にしなければ同一の下側取り込み角βを得ることができないからである。つまり、第二反射面２０は、メタルハライドバルブ１６から下方に照射された光を、投影レンズ１２を介さずに投影レンズ１２の前方に反射させる機能を有することから、投影レンズ１２のユニット光軸Ａｘに対する第二反射面２０の位置は設計的に決定されるものである。これを踏まえて、実施の形態の車両用前照灯ユニット１０の如く、メタルハライドバルブ１６をユニット光軸Ａｘに対して下方に配置すれば、その位置が決定されている第二反射面２０とメタルハライドバルブ１６との距離が短くなるので、第二反射面２０を図２の如く小型化できる。第二反射面２０が小型になれば、車両用前照灯ユニット１０全体が小型になり軽量化にもつながる。
【００３３】
また、車両用前照灯ユニット１０の第一反射面１８の下端縁部１８Ｂは、投影レンズ１２の取り込み角範囲αの下端に一致されるとともに、ユニット光軸Ａｘに略平行な水平面に沿って配置されている。
【００３４】
従来の通常構成の車両用前照灯ユニットでは、メタルハライドバルブの下側の光が投影レンズに入射する経路において、第一反射面で反射した光の一部がメタルハライドバルブによって遮光しているため、メタルハライドバルブ自身が遮光物になっている。メタルハライドバルブを下に下げると、前記遮光が顕著になるため、投影レンズの取り込み角範囲内にメタルハライドバルブの下側から投影レンズに入射させる反射面があることは無駄であり、その反射面は不要である。
【００３５】
そこで、図２の車両用前照灯ユニット１０の如く、第一反射面１８の下端縁部１８Ｂを、投影レンズ１２の取り込み角範囲αの下端に一致させるとともに、ユニット光軸Ａｘに略平行な水平面に沿って配置した。これにより、メタルハライドバルブ１６の下側から投影レンズ１２に入射させる反射面が無くなり、メタルハライドバルブ１６から下側に照射された直射光は第二反射面２０に向うので、メタルハライドバルブ１６から下側に向うメタルハライドバルブ１６の光束を有効利用することができる。
【００３６】
また、図２の如く、メタルハライドバルブ１６を第一反射面１８に形成されたバルブ挿入孔１８Ａから挿入配置する車両用前照灯ユニット１０の場合には、バルブ挿入孔１８Ａの下端縁部１８Ｂと投影レンズ１２の取り込み角範囲αの下端とを一致させ、投影レンズ１２の取り込み角範囲αの下方位置にメタルハライドバルブ１６を配置することが好ましい。これにより、メタルハライドバルブ１６の下側から投影レンズ１２に入射させる反射面が少なくなり、メタルハライドバルブ１６から下側に照射された直射光のほとんどは第二反射面２０に向うので、メタルハライドバルブ１６から下側に向うメタルハライドバルブ１６の光束を有効利用することができる。
【００３７】
更に、第二反射面２０は、前述の如くメタルハライドバルブ１６付近に焦点Ｆ３を有し、第二反射面２０の光軸が投影レンズ１２のユニット光軸Ａｘに対し、外側３０度〜４５度方向（図５においては左側車両用前照灯を示すので図面左方向に相当）となるような形状に横断面が形成される。
【００３８】
図６は、第二反射面２０の概略横断面図である。第二反射面２０は横断面において放物系反射面とした二つの反射面２０ａ、２０ｂを備え、外側３０度〜４５度方向の範囲内に各々の焦点Ｆ４ａ、Ｆ４ｂを持つ。また、第二反射面２０は、反射光線方向の縦断面形状が放物線形状に形成され、メタルハライドバルブ１６から下方に出射する光を反射して、ユニット光軸Ａｘ方向から外側方向へ最大９０度まで左右に拡散配光する。これにより、図５に示した配光パターンＢを得ることができる。
【００３９】
図５によれば、すれ違いビーム用配光パターンＡの左側方に、すれ違いビーム用配光パターンＡと一部重なる配光パターンＢを水平方向に延長して形成することができるので、メタルハライドバルブ１６からの光を広範囲に照射でき、且つ左折時及び屈曲路にて歩行者、障害物を早期に発見することができる。また、配光パターンＢを自動車近傍のエリアを照射するように設定することで、運転者の周囲を明るくすることができるので運転者にとって明るく感じることができ運転し易いものとなる。
【００４０】
このとき、配光パターンＡと配光パターンＢとが重なる領域を設けることで、重なる領域を明るくすることができる。特に、自動車近傍のエリア（重なっているエリア）を明るくして運転し易いものとした。そのため、配光パターンＢにて重なっているエリアを照射する光路として、メタルハライドバルブ１６から下方の第二反射面２０に直接入射する光を有効利用するのが、効率が良いことになる。しかし、メタルハライドバルブ１６の真下、すなわち、メタルハライドバルブ１６の管球の下部に溜まったメタルハライド成分の黄色領域を通過し、メタルハライドバルブ１６の下の第二反射面２０で反射した黄色光を、投影レンズ１２を介さずに斜め前方（道路左側通行の場合において、車線左側の歩行者用道路）を狙って照射することになる。そのため、この部分（４０Ｌ−３０Ｌ）を明るくして歩行者等の視認性を向上させることができるが、同時にこの部分に黄色味が顕著に現れるものである。
【００４１】
そこで、実施の形態の車両用前照灯ユニット１０は、第二反射面２０を備えたことに起因する領域Ｃの黄色の発生を抑制するために、図２の如く、楕円系反射面である第三反射面３０と放物面系反射面である第四反射面３２とを付加している。なお、他の方法として、黄色味を帯びるメタルハライドバルブ１６から真下に向う光を拡散させて利用することも考えられるが、黄色味を帯びない程度にまで拡散させるのでは、明るさが不足し自動車近傍のエリア（例えば領域Ｃ）を明るくして運転し易いものとすることは難しい。特にメタルハライドバルブ１６から放射される光束を直接利用することで、より効率を上げることが可能となるので、メタルハライドバルブ１６から第二反射面２０に向う光を、上記した配光パターンＡと配光パターンＢとが重なる領域に向って照射することが好適である。
【００４２】
すなわち、メタルハライドバルブ１６から上方に出射された白色光を、第三反射面３０によって下方に反射し、第三反射面３０で反射された白色光を第四反射面３２によって反射し、第二反射面２０で反射されて形成される図５の配光パターンＢのうち黄色となる領域Ｃに、水平方向で鉛直軸から約０°〜４５°の領域Ｄの白色光を重畳している。これにより、領域Ｃの黄色が白色となる。具体的には、黄色光と同等の光度（黄色光４０００ｃｄに対して白色光４０００ｃｄ）の白色光を重畳することにより黄色を白色としている。したがって、この車両用前照灯ユニット１０によれば、光源としてメタルハライドバルブ１６を使用した際の配光パターンの黄色発生を抑えることができる。
【００４３】
第三反射面３０と第四反射面３２について説明すると、第三反射面３０は、図２の如くメタルハライドバルブ１６の前方であって第一反射面１８の上方に配置されている。また、第三反射面３０は、メタルハライドバルブ１６の付近に焦点Ｆ５を有するとともに、投影レンズ１２の焦点Ｆの前方であってユニット光軸Ａｘの下方に焦点Ｆ６を有する。したがって、メタルハライドバルブ１６から前方斜め上方に照射された白色光が第三反射面３０によって下方に反射される。また、第三反射面３２は、前述した黄色光と同等の光度を得るために、図２の如く投影レンズ１２側に向けて延設され、その反射面の面積を確保している。
【００４４】
一方、第四反射面３２は、第三反射面３０の下方であって、図３の如く第二反射面２０の側方で、かつ、図４の如く第二反射面２０に対して若干量前方に突出した位置に配置されている。また、第四反射面３２は、第三反射面３０の焦点Ｆ６を焦点Ｆ７に持つ放物面に形成されている。更に、第四反射面３２は、第三反射面３２で反射された、黄色光と同等の光度の白色光を有効に反射させるための面積が確保されている。
【００４５】
かかる配置構成により、第三反射面３０によって反射された、黄色光と同等の光度の白色光が第四反射面３２によって、投影レンズ１２を介さずに投影レンズ１２の前方に有効に反射され、図５の領域Ｃの黄色光に領域Ｄの白色光を重畳する。
【００４６】
なお、実施の形態では、黄色が発生する領域を、水平方向で鉛直軸から約２５°〜４５°の領域Ｃとしたが、これに限られるものではない。第二反射面２０の設計により他の領域に黄色光が発生する場合には、その領域を含むように第三反射面３０、第四反射面３２を設計し、第三反射面３０から第四反射面３２で反射した白色光を、その領域の黄色光に重畳すればよい。
【００４７】
また、本実施の形態では第一反射面１８、第二反射面２０、第三反射面３０、及び第四反射面３２を備えて、配光パターンの黄色を白色とする車両用前照灯ユニット１０について説明したが、配光パターンの黄色を白色とすることのみを目的とする車両用前照灯ユニットであれば、その上位概念として、配光パターンの所定の領域に黄色が発生する投影光学系と、その黄色を白色とする補正光学系とを備えた車両用前照灯ユニットであればよい。すなわち、実施の形態では、第一反射面１８と第二反射面２０とが投影光学系を構成し、第三反射面３０と第四反射面３２とが補正光学系を構成しており、全体として４枚の反射面１８、２０、３０、３２を備えた車両用前照灯ユニット１０について説明している。しかしながら、配光パターンの所定の領域に黄色が発生する投影光学系であれば、その反射面の数は２枚に限定されるものでもなく、また、黄色を白色とする補正光学系であれば、その反射面の数は２枚に限定されるものでもない。
【００４８】
図７は、図３に示した車両用前照灯ユニット１０のユニット光軸Ａｘを通るＡ−Ａ線に沿う縦断面図であり、主として第三反射面３０と第四反射面３２の配置構成を示した図である。
【００４９】
同図によれば、第三反射面３０の基端部は、ユニット光軸Ａｘの後方に延設され、第一反射面１８に形成されたソケット保持用口金１９に固定されている。一方、第四反射面３２の基端部は、反射面を構成しないブラケット３４と一体化されており、このブラケット３４がソケット保持用口金１９に固定されている。
【００５０】
図８は、図３に示した車両用前照灯ユニット１０のＢ−Ｂ線に沿う縦断面図であり、主として第二反射面２０の配置構成を示した図である。
【００５１】
同図によれば、第二反射面２０の基端部は、ユニット光軸Ａｘの後方に延設され、ソケット保持用口金１９に固定されている。また、第二反射面２０の下部には、周知のオーバーヘッド用配光の配光パターンを形成する第五反射面３６が形成されている。
【符号の説明】
【００５２】
１０…車両用前照灯ユニット、１２…投影レンズ、１４…遮光板、１６…メタルハライドバルブ、１８…第一反射面、１９…ソケット保持用口金、２０…第二反射面、２２…レンズホルダ、２４…プレート、３０…第三反射面、３２…第四反射面、３４…ブラケット、３６…第五反射面
【図１】
2010232143.tif 000003
【図２】
2010232143.tif 000004
【図３】
2010232143.tif 000005
【図４】
2010232143.tif 000006
【図５】
2010232143.tif 000007
【図６】
2010232143.tif 000008
【図７】
2010232143.tif 000009
【図８】
2010232143.tif 000010